(57)【要約】【課題】長期間の使用にも電極組立体が初期固定力を維持するようにして耐久性を高めた２次電池を提供する。【解決手段】本記載による２次電池は、複数の正極板、複数の負極板および複数のセパレータを含む電極組立体；および  前記電極組立体を収容するケースを含み、前記複数のセパレータの各セパレータは、前記正極板と負極板のうちの少なくとも一つと向き合う中央部と、前記正極板と負極板を通じて延長する延長部とを含み、前記延長部のそれぞれは、隣接した延長部に接合される融着部を含む。【選択図】図１
2011129523.tif 000002
【特許請求の範囲】
【請求項１】
複数の正極板、複数の負極板および複数のセパレータを含む電極組立体；および
前記電極組立体を収容するケース；
を含み、
前記複数のセパレータの各セパレータは、前記正極板と負極板のうちの少なくとも一つと向き合う中央部と、前記正極板と負極板を通じて延長する延長部とを含み、
前記延長部のそれぞれは、隣接した延長部に接合される融着部を含む、２次電池。
【請求項２】
前記セパレータの前記延長部は、互いに接合されず、前記中央部から前記融着部に向かって延長する折曲部をさらに含む、請求項１に記載の２次電池。
【請求項３】
前記電極組立体は断面を有し、前記折曲部は前記中央部から前記電極組立体の断面の中心に向かって折り曲げられ、
前記融着部は、前記電極組立体の断面の中心に位置する、請求項２に記載の２次電池。
【請求項４】
前記折曲部は、前記中央部から前記電極組立体の上部面または底面の平面に向かって折り曲げられ、前記融着部は、前記電極組立体の上部面または底面が平面上に位置する、請求項２に記載の２次電池。
【請求項５】
前記融着部は、折り曲げられて形成される、請求項１に記載の２次電池。
【請求項６】
前記融着部は、前記電極組立体の上部面または底面と実質的に直角方向にさらに折り曲げられた、請求項５に記載の２次電池。
【請求項７】
前記電極組立体は、正極板、負極板およびセパレータの積層体を複数で含み、前記積層体は、前記各積層体の最外郭セパレータにより互いに接合される、請求項５に記載の２次電池。
【請求項８】
前記積層体は、前記最外郭セパレータの前記融着部で共に接合される、請求項７に記載の２次電池。
【請求項９】
前記電極組立体は、第１積層体と第２積層体とを含み、
前記第１積層体の前記折曲部は、前記中央部から前記第１積層体の上部面に向かって折り曲げられ、
前記第２積層体の前記折曲部は、前記中央部から前記第２積層体の底面に向かって折り曲げられ、
前記第１積層体と第２積層体は、前記融着部が前記電極組立体の断面の中心に位置するように互いに接合された、請求項７に記載の２次電池。
【請求項１０】
同一な極性を有するそれぞれの電極板は一対の前記セパレータの間に介され、反対極性を有するそれぞれの電極板は隣接した一対の前記セパレータの間に介され、
前記各対のセパレータに属するセパレータは、前記延長部で予備融着部に沿って互いに接合され、前記隣接した一対のセパレータは、互いに接合されて前記融着部を形成する、請求項１に記載の２次電池。
【請求項１１】
前記セパレータの融着部は、前記中央部から前記延長部の周縁に向かう方向への長さにおいて、前記予備融着部よりも小さい、請求項１０に記載の２次電池。
【請求項１２】
前記電極組立体の反対側辺部で前記電極組立体に連結される電極端子をさらに含み、
前記セパレータの前記融着部は、前記電極端子の延長が始まる側に隣接した前記電極組立体の反対側辺部から延長する、請求項１に記載の２次電池。
【請求項１３】
前記電極組立体の反対側辺部で前記電極組立体に連結される電極端子をさらに含み、前記セパレータの融着部は、前記電極端子の延長が始まる領域を除いた前記電極組立体の全側辺部から延長する、請求項１に記載の２次電池。
【請求項１４】
前記融着部は、前記電極組立体の反対側辺部の全長にわたって延長する、請求項１に記載の２次電池。
【請求項１５】
前記延長部は、前記電極組立体の反対側辺部の全長にわたって延長し、前記融着部は、前記電極組立体の各反対側辺部の長さの一部にのみわたって延長する、請求項１に記載の２次電池。
【請求項１６】
前記融着部は、前記電極組立体の各反対側辺部の中心に位置する、請求項１５に記載の２次電池。
【請求項１７】
前記融着部は、前記電極組立体の各反対側辺部の端部に位置する、請求項１５に記載の２次電池。
【請求項１８】
前記電極組立体の各反対側辺部の全長にわたり、前記融着部は接合されない延長部と交番する、請求項１５に記載の２次電池。
【請求項１９】
複数の正極板、複数の負極板、および複数のセパレータを含む電極組立体を提供し、
前記電極組立体をケースで囲み、
前記複数のセパレータのうちの各セパレータは、少なくとも一つの正極板と負極板と向き合う中央部と、前記正極板と負極板を通じて延長する延長部とを含み、
前記延長部のそれぞれは、隣接した延長部に接合される融着部を含む、２次電池の製造方法。
【請求項２０】
前記融着部は、熱融着または超音波融着により形成される、請求項１９に記載の２次電池の製造方法。
【発明の詳細な説明】
【技術分野】
【０００１】
本発明は、２次電池に関し、より詳しくは、積層型電極組立体のセパレータの仕上げ構造に関する。
【背景技術】
【０００２】
２次電池は、充電が不可能な一次電池とは異なり、充電が可能な電池である。低容量の２次電池は、携帯電話機やノートパソコンのような携帯が可能な小型電子機器に使用され、大容量の２次電池は、電気自動車、ハイブリッド自動車などのモータ駆動用または電力貯蔵用として使用されている。
【０００３】
２次電池は、基本的に正極板、セパレータ、および負極板で構成される電極組立体と、電極組立体を収容するケースとを含む。ケースは円筒型または角型の金属カンで製造されたり、樹脂シート層と金属シート層とを含むラミネートシートで製造される。電極組立体はケースの形態に応じて巻取型または積層型で構成される。
【０００４】
複数枚の正極板とセパレータおよび負極板を積層した積層型電極組立体の場合、正極板および負極板の外側に突出したセパレータの周縁を互いに密着させた後、これを接着テープで囲んで電極組立体の形態を維持することが一般的である。
【０００５】
ところで、接着テープを利用した仕上げ構造の２次電池を長期間使用すると、接着テープの劣化によりセパレータの固定力が低下する。その結果、電極組立体は初期固定力を維持することができずに整列状態が乱れ、正極板と負極板との固定能力が低下して２次電池の性能を大きく悪化させる。
【発明の概要】
【発明が解決しようとする課題】
【０００６】
本発明の目的は、長期間の使用にも電極組立体が初期固定力を維持するようにして耐久性を高め、長寿命特性を確保することができる２次電池を提供することにある。
【課題を解決するための手段】
【０００７】
本発明の一実施形態による２次電池は、複数の正極板、複数の負極板および複数のセパレータを含む電極組立体；および前記電極組立体を収容するケースを含み、前記複数のセパレータの各セパレータは、前記正極板と負極板のうちの少なくとも一つと向き合う中央部と、前記正極板と負極板を通じて延長する延長部とを含み、前記延長部のそれぞれは、隣接した延長部に接合される融着部を含む。
【０００８】
前記セパレータの前記延長部は、互いに接合されず、前記中央部から前記融着部に向かって延長する折曲部をさらに含む。
前記電極組立体は断面を有し、前記折曲部は前記中央部から前記電極組立体の断面の中心に向かって折り曲げられ、前記融着部は、前記電極組立体の断面の中心に位置しても良い。
【０００９】
前記折曲部は、前記中央部から前記電極組立体の上部面または底面の平面に向かって折り曲げられ、前記融着部は、前記電極組立体の上部面または底面が平面上に位置しても良い。
前記融着部は、折り曲げられて形成されても良く、前記融着部は、前記電極組立体の上部面または底面と実質的に直角方向にさらに折り曲げられても良い。
【００１０】
前記電極組立体は、正極板、負極板およびセパレータの積層体を複数で含み、前記積層体は、前記各積層体の最外郭セパレータにより互いに接合されても良い。
前記積層体は、前記最外郭セパレータの前記融着部で共に接合されても良い。
【００１１】
前記電極組立体は、第１積層体と第２積層体とを含み、前記第１積層体の前記折曲部は、前記中央部から前記第１積層体の上部面に向かって折り曲げられ、前記第２積層体の前記折曲部は、前記中央部から前記第２積層体の底面に向かって折り曲げられ、前記第１積層体と第２積層体は、前記融着部が前記電極組立体の断面の中心に位置するように互いに接合されても良い。
【００１２】
同一な極性を有するそれぞれの電極板は、一対の前記セパレータの間に介され、反対極性を有するそれぞれの電極板は隣接した一対の前記セパレータの間に介され、前記各対のセパレータに属するセパレータは、前記延長部で予備融着部に沿って互いに接合され、前記隣接した一対のセパレータは、互いに接合されて前記融着部を形成しても良い、
【００１３】
前記セパレータの融着部は、前記中央部から前記延長部の周縁に向かう方向への長さにおいて、前記予備融着部よりも小さく形成されても良い。
前記電極組立体の反対側辺部（ｓｉｄｅ）で前記電極組立体に連結される電極端子をさらに含み、前記セパレータの前記融着部は、前記電極端子の延長が始まる側に隣接した前記電極組立体の反対側辺部から延長しても良い。
【００１４】
前記電極組立体の反対側辺部で前記電極組立体に連結される電極端子をさらに含み、前記セパレータの融着部は、前記電極端子の延長が始まる領域を除いた前記電極組立体の全側辺部から延長しても良い。
前記融着部は、前記電極組立体の反対側辺部の全長にわたって延長しても良い。
前記延長部は、前記電極組立体の反対側辺部の全長にわたって延長し、前記融着部は、前記電極組立体の各反対側辺部の長さの一部にのみわたって延長しても良い。
【００１５】
前記融着部は、前記電極組立体の各反対側辺部の中心に位置しても良く、前記電極組立体の各反対側辺部の端部に位置しても良い。
前記電極組立体の各反対側辺部の全長にわたり、前記融着部は接合されない延長部と交番して形成されても良い。
【００１６】
本発明の一実施形態による２次電池の製造方法は、複数の正極板、複数の負極板、および複数のセパレータを含む電極組立体を提供し、前記電極組立体をケースで囲む段階を含み、前記複数のセパレータのうちの各セパレータは、少なくとも一つの正極板と負極板と向き合う中央部と、前記正極板と負極板を通じて延長する延長部とを含み、前記延長部のそれぞれは、隣接した延長部に接合される融着部を含む。
前記融着部は、熱融着または超音波融着により形成されても良い。
【発明の効果】
【００１７】
本発明の実施形態によれば、積層されたセパレータの延長部を融着して融着部を形成することによって、セパレータの仕上げ工程を単純化すると共に、電極組立体を強く結合させることができる。したがって、２次電池は長期間の使用後にも正極板と負極板との固定力を維持して整列が乱れることを防止することができ、高い構造的な安定性と堅固性を確保することができる。
【図面の簡単な説明】
【００１８】
【図１】本発明の第１実施形態による２次電池の部分切開斜視図である。
【図２】図１に示した２次電池中の電極と電極端子の斜視図である。
【図３】図２に示した電極組立体の部分拡大断面図である。
【図４】本発明の第２実施形態による２次電池中の電極組立体の部分拡大断面図である。
【図５】本発明の第３実施形態による２次電池中の電極組立体の部分拡大断面図である。
【図６】本発明の第４実施形態による２次電池中の電極組立体の部分拡大断面図である。
【図７】本発明の第５実施形態による２次電池中の電極組立体の部分拡大断面図である。
【図８】本発明の第６実施形態による２次電池中の電極組立体の斜視図である。
【図９】本発明の第７実施形態による２次電池中の電極組立体の斜視図である。
【図１０】本発明の第８実施形態による２次電池中の電極組立体の斜視図である。
【図１１】本発明の第９実施形態による２次電池中の電極組立体の斜視図である。
【発明を実施するための形態】
【００１９】
以下、添付した図面を参照して本発明の実施形態について本発明が属する技術分野で通常の知識を有する者が容易に実施することができるように詳しく説明する。本発明は多様な異なる形態で具現することができ、ここで説明する実施形態に限定されない。
【００２０】
図１は、本発明の第１実施形態による２次電池の部分切開斜視図であり、図２は、図１に示した２次電池中の電極と電極端子の斜視図である。
図１と図２を参照すれば、第１実施形態の２次電池１００は、正極板１１とセパレータ２０および負極板１２を備えた電極組立体１０と、電極組立体１０を収容するケース３０と、電極組立体１０に連結され、ケース３０の外部に引出される電極端子４１、４２とを含む。
【００２１】
電極組立体１０は、セパレータ２０、正極板１１、セパレータ２０、負極板１２、およびセパレータ２０の順序にこれらを反復して積層した構造からなる。この順序において、正極板１１は負極板１２で代替され、負極板１２は正極板１１で代替されても良い。２枚のセパレータ２０が重なることなく正極板１１と負極板１２との間に一枚のセパレータ２０が位置する。
【００２２】
電極端子４１、４２は、正極板１１に連結される正極端子４１と、負極板１２に連結される負極端子４２とを含む。正極板１１と負極板１２はそれぞれセパレータ２０の外側に突き出される集電部１３、１４を形成し、この集電部１３、１４は加圧により密着する。そして、正極端子４１および負極端子４２がそれぞれ正極板１１の集電部１３および負極板１２の集電部１４に連結される。
【００２３】
正極端子４１と負極端子４２はケース３０の一側に引出されたり、ケース３０の両側に引出されても良い。図１と図２では正極板１１の集電部１３と負極板１２の集電部１４とが反対側に形成されて正極端子４１と負極端子４２がケース３０の両側に引出されるものを示した。
【００２４】
ケース３０は、中央が凹むように形成された上部ケース３１と下部ケース３２を含む。上部および下部ケース３１、３２は、ラミネートシートで製造されても良く、電解液が含浸された状態の電極組立体１０を内部空間に収容した後、周縁が熱融着により一体に接合されて電極組立体１０を密閉させる。ケース３０の形状と材質などは前述した例に限定されずに多様に変形可能である。
【００２５】
電極組立体１０は、ほぼ直六面体形状で構成される。電極組立体１０は、第１方向（ｙ軸方向）に沿って向き合う一対の第１辺部１０１と、第１方向と直交する第２方向（ｘ軸方向）に沿って向き合う一対の第２辺部１０２とを含む。集電部１３、１４と電極端子４１、４２は一対の第１辺部１０１のうちの少なくとも一つの第１辺部１０１に位置する。第１辺部１０１が電極組立体１０の短辺部であり、第２辺部１０２が電極組立体１０の長辺部であっても良い。
【００２６】
図３は、図２に示した電極組立体の部分拡大断面図である。
図１乃至図３を参照すれば、セパレータ２０のそれぞれは正極板１１と負極板１２のうちの少なくとも一つに向き合い、これと重なる中央部２１と、中央部２１から正極板１１および負極板１２の外側に 延長する一対の延長部とを含み、前記延長部は、折曲部２２と融着部２３とを含む。折曲部２２と融着部２３をそれぞれ含む１対の延長部は、集電部１３、１４と電極端子４１、４２が位置しない第２辺部１０２に位置する。
【００２７】
第２辺部１０２で重なった延長部は、互いに密着するように集結された後に周縁が融着により一体に接合されて融着部２３を形成する。融着部２３は、熱融着または超音波融着などによりセパレータ２０の表面が溶解および接着された形態であり、強い結合力を提供してセパレータ２０の中央部２１の間に正極板１１および負極板１２を安定的に固定させる。
【００２８】
融着部２３は、電極組立体１０に備えられた全てのセパレータ２０の折曲部２２に連結されてこれらを一つとして接合させる。つまり、電極組立体１０の厚さ方向（ｚ軸方向）に沿って複数の融着部でない単一の融着部２３が形成される。したがって、融着によるセパレータ２０の仕上げ工程を単純化すると共に、電極組立体１０全体に強い結合力を提供する。融着部２３は、接着強度と気密性に極めて優れて長期間の使用後にも延長部が互いに分離しないため、２次電池１００の耐久性を効果的に向上させる。
【００２９】
延長部は、電極組立体１０の厚さ方向（ｚ軸方向）に沿って対称をなして集結され、融着部２３が電極組立体１０の厚さ方向（ｚ軸方向）に沿って電極組立体１０の中央に位置しても良い。この場合、延長部に均一な圧力を加えながら融着部２３を形成することができ、電極組立体１０の形状安全性を高めることができる。
【００３０】
融着部２３は、第１辺部１０１よりも大きい長さを有する第２辺部１０２に提供される。これによって、電極組立体１０の周縁に沿ってより長い接合領域を確保することができるため、電極組立体１０の固定力を向上させる。特に融着部２３は、第２辺部１０２と同一な長さで形成されて電極組立体１０の固定力を極大化することができる。
【００３１】
このように第１実施形態の２次電池１００における電極組立体１０は、一対の第２辺部１０２の全体でセパレータ２０の延長部を融着部２３により堅固に接合させる。したがって、２次電池１００は長期間の使用後にも正極板１１と負極板１２との固定力を維持して整列が乱れることを防止することができ、高い構造的な安定性と堅固性を確保することができる。
【００３２】
図４は、本発明の第２実施形態による２次電池中の電極組立体の部分拡大断面図である。
図４を参照すれば、第２実施形態の２次電池は、折曲部２２１と融着部２３１とを含む延長部が電極組立体１１０の厚さ方向（ｚ軸方向）に沿って非対称をなして集結され、融着部２３１が電極組立体１１０の厚さ方向（ｚ軸方向）に沿って電極組立体１１０の一側に偏って位置することを除いては前述した第１実施形態の２次電池と同一な構成からなる。
【００３３】
図４における図面符号のうち、２０１はセパレータ、２１１はセパレータの中央部を示す。セパレータを除いた残りの部材については第１実施形態の２次電池と同一な図面符号を使用する。
【００３４】
第２実施形態における延長部は、最も外側に位置するいずれか一つの延長部に向かって集結し、融着部２３１が電極組立体１１０の上面または下面の延長線上に位置する。図４では融着部２３１が電極組立体１１０下面の延長線上に位置するものを示した。
【００３５】
延長部は融着器に備えられた一対の加熱板（図示せず）の間に配置され、加熱板により加圧融着されて融着部２３１を形成するようになる。この過程で第１実施形態の場合、一対の加熱板を同時に移動させて融着部２３を形成するが、第２実施形態の場合、一つの加熱板を固定させた状態で他の一つの加熱板のみを移動させて融着部２３１を形成することができるため、量産により適した構造といえる。
【００３６】
図５は、本発明の第３実施形態による２次電池中の電極組立体の部分拡大断面図である。
図５を参照すれば、第３実施形態の２次電池は、融着部２３２が電極組立体１２０の厚さ方向（ｚ軸方向）に沿って電極組立体１２０の一側（例えば図５を基準に下側）へ偏って位置すると共に、融着部２３２が電極組立体１２０の他側（例えば図５を基準に上側）で折り曲げられて融着部２３２の端部に折り畳み部２４を形成したことを除いては、前述した第２実施形態の２次電池と同一な構成からなる。
【００３７】
図５における図面符号のうち、２０２はセパレータ、２１２はセパレータの中央部、２２２はセパレータの延長部の折曲部を示す。セパレータを除いた残りの部材については第２実施形態の２次電池と同一な図面号を使用する。
【００３８】
融着部２３２の幅が大きいほど延長部２２２の接合面積を拡大させてセパレータ２０２の固定力を高めることができる。しかしながら、融着部２３２は電極組立体１２０のうち、電池反応に寄与しない部分であるため、同一なケース３０容量対比融着部２３２の幅が大きいほど電極容量を減少させなければならない。
【００３９】
したがって、融着部２３２を折り畳んで電極組立体１０の厚さ方向（ｚ軸方向）と平行に折り畳み部２４を形成した構造では、融着部２３２の幅を拡大してセパレータ２０２の固定力を高めながらも、同一なケース３０容量対比正極板１１と負極板１２の大きさを拡大させることができるため、電池効率を向上させることができる。
【００４０】
図６は、本発明の第４実施形態による２次電池中の電極組立体の部分拡大断面図である。
図６を参照すれば、第４実施形態の２次電池は、電極組立体１３０が少なくとも一つの正極板１１と少なくとも一つの負極板１２および予備融着部２５を有する第１積層体１３１と、少なくとも一つの正極板１１と少なくとも一つの負極板１２および予備融着部２５を有する第２積層体１３２との積層構造で形成されることを除いては前述した第１実施形態の２次電池と同一な構成からなる。第１積層体１３１の予備融着部２５と第２積層体１３２の予備融着部２５とは再融着されて融着部２３３を形成する。
【００４１】
図６では電極組立体１３０が２つの分割された積層体１３１、１３２を含むことを例に挙げて示したが、第４実施形態の２次電池は、各自の予備融着部２５を有する３つ以上の分割された積層体を含んで良く、これら分割された積層体の予備融着部２５は再融着されて融着部２３３を形成する。
【００４２】
図６における図面符号のうち、２０３はセパレータ、２１３はセパレータの中央部、２２３はセパレータの延長部の折曲部を示す。セパレータ２０３を除いた残りの部材については第１実施形態の２次電池と同一な図面号を使用する。
【００４３】
第１積層体１３１と第２積層体１３２のそれぞれに対してセパレータ２０３の周縁を融着して予備融着部２５を形成し、第１積層体１３１と第２積層体１３２を積層した後、二つの予備融着部２５を融着して融着部２３３を形成する。この場合、第１積層体１３１と第２積層体１３２とが接する部分で２つのセパレータ２０３が積層される。つまり、各積層体の最外郭セパレータは他の積層体の最外郭セパレータと重なる。
【００４４】
このように電極組立体１３０を２つ以上に分割して予備融着部２５を予め形成すれば、融着時に電極組立体のずれや融着不良を効果的に抑制することができるため、電極組立体１３０の製造品質を高めることができる。図６では第１積層体１３１と第２積層体１３２とが６枚のセパレータ２０３を備えたものを示したが、各積層体が備えたセパレータ２０３の枚数は示した例に限定されない。
【００４５】
図７は、本発明の第５実施形態による２次電池中の電極組立体の部分拡大断面図である。
図７を参照すれば、第５実施形態の２次電池は、電極組立体１４０が一つの正極板１１（または負極板１２）と２枚のセパレータ２０４および予備融着部２５１を有する複数の組立体１４１と、組立体１４１の間で組立体１４１に密着される複数の負極板１２（または正極板１１）との積層構造で形成されることを除いては前述した第１実施形態の２次電池と同一な構成からなる。組立体１４１の個数だけ積層された予備融着部２５１は再融着されて融着部２３４を形成する。
【００４６】
図７における図面符号のうち、２１４はセパレータの中央部、２２４はセパレータの延長部を示す。セパレータ２０４を除いた残りの部材については第１実施形態の２次電池と同一な図面号を使用する。
【００４７】
２枚のセパレータ２０４の間に正極板１１（または負極板１２）を配置し、二つのセパレータ延長部２２４の周縁を融着して予備融着部２５１を形成する。この方法で複数の組立体１４１を製造した後、複数の組立体１４１と複数の負極板１２（または正極板１１）とを順次に積層する。そして、積層された予備融着部２５１を再融着して融着部２３４を形成する。この場合、それぞれの組立体１４１で測定される予備融着部２５１の長さＬ１は全体の電極組立体１４０で測定される融着部２３４の長さＬ２よりも大きくすることができる。
【００４８】
このように複数の組立体１４１を利用して電極組立体１４０を製作すれば、前述した第４実施形態と同様に、融着時に電極組立体１４０のずれや融着不良を抑制して電極組立体１４０の製造品質を高めることができる。
図８は、本発明の第６実施形態による２次電池中の電極組立体の斜視図である。
【００４９】
図８を参照すれば、第６実施形態の２次電池は、電極組立体１５０の第２辺部１０２と共に集電部１３、１４を除いた電極組立体１５０の第１辺部１０１にも延長部２２を形成し、この延長部２２の周縁に融着部２３を形成したことを除いては、前述した第１実施形態乃至第５実施形態のうちのいずれか一実施形態の２次電池と同一な構成からなる。図８では、一例として第１実施形態の構造に第６実施形態の特徴が組み合わせられたものを示した。
【００５０】
第６実施形態における融着部２３は、集電部１３、１４を除いた第１辺部１０１と第２辺部１０２全体に形成される。したがって、前述した第１実施形態乃至第５実施形態よりも電極組立体１５０の周縁に沿ってより長い接合領域を提供して最も優れた構造的な安定性および堅固性を確保することができる。
【００５１】
図９は、本発明の第７実施形態による２次電池中の電極組立体の斜視図である。
図９を参照すれば、第７実施形態の２次電池は、融着部２３５が第２辺部１０２よりも小さい長さを有し、第２辺部１０２の中央に位置することを除いて前述した第１実施形態乃至第５実施形態のうちのいずれか一実施形態の２次電池と同一な構成からなる。図９では、一例として第１実施形態の構造に第７実施形態の特徴が組み合わせられたものを示した。
【００５２】
図１０は、本発明の第８実施形態による２次電池中の電極組立体の斜視図である。
図１０を参照すれば、第８実施形態の２次電池は、それぞれの第２辺部１０２で２つの融着部２３６が互いに離隔して配置されることを除いては、前述した第１実施形態乃至第５実施形態のうちのいずれか一実施形態の２次電池と同一な構成からなる。図１０では、一例として第１実施形態の構造に第８実施形態の特徴が組み合わせられたものを示した。
【００５３】
第７実施形態および第８実施形態の電極組立体１６０、１７０において、延長部２２は融着部２３５、２３６を除いた残りの第２辺部１０２で加圧により集結された形態は維持するが、融着されないことによって、積層された延長部２２の間に所定の隙間が存在する。
【００５４】
このように融着部２３５、２３６が第２辺部１０２よりも小さい長さを有することによって、第７実施形態および第８実施形態の２次電池は、第１実施形態乃至第６実施形態の２次電池よりも電極組立体１６０、１７０の堅固性は低下するが、延長部２２の間に形成された隙間を通じて電極組立体１６０、１７０内部に電解液をより簡単に含浸させることができるため、電解液の含浸特性を高めることができる。
【００５５】
図１１は、本発明の第９実施形態による２次電池中の電極組立体の斜視図である。
図１１を参照すれば、第９実施形態の２次電池は、それぞれの第２辺部１０２で３つまたはそれ以上の融着部２３７が互いに離隔して配置されることを除いては、前述した第１実施形態乃至第５実施形態のうちのいずれか一実施形態の２次電池と同一な構成からなる。図１１では、一例として第１実施形態の構造に第９実施形態の特性が組み合わせられたものを示した。
【００５６】
第９実施形態の電極組立体１８０でも、延長部２２は融着部を除いた残りの第２辺部１０２で加圧により集結された形態は維持するが、融着されないことによって、積層された延長部２２の間に所定の隙間が存在する。
【００５７】
３つまたはそれ以上の融着部２３７が互いに離隔して配置されることによって、第２辺部１０２の長さ方向に沿って均一な固定力を維持すると共に、積層された延長部２２の間の隙間を通じて電極組立体１８０内部に電解液を均一に含浸させることができる。したがって、第９実施形態の２次電池は、第１実施形態乃至第６実施形態の長所である優れた堅固性と、第７実施形態および第８実施形態の長所である優れた電解液の含浸特性とを適切に具現することができる。
【００５８】
以上で本発明の好適な実施形態について説明したが、本発明はこれに限定されるのではなく、特許請求の範囲と発明の詳細な説明および添付した図面の範囲内で多様に変形して実施することが可能であり、これも本発明の範囲に属することは当然である。
【符号の説明】
【００５９】
１０…電極組立体
１１…正極板
１２…負極板
１３、１４…集電部
２０…セパレータ
２１…中央部
２２…折曲部
２３…融着部
３０…ケース
４１、４２…電極端子
１００…２次電池
【図１】
2011129523.tif 000003
【図２】
2011129523.tif 000004
【図３】
2011129523.tif 000005
【図４】
2011129523.tif 000006
【図５】
2011129523.tif 000007
【図６】
2011129523.tif 000008
【図７】
2011129523.tif 000009
【図８】
2011129523.tif 000010
【図９】
2011129523.tif 000011
【図１０】
2011129523.tif 000012
【図１１】
2011129523.tif 000013